(57)【要約】      （修正有）【課題】車体等のパネルの開口を塞ぐホールプラグに関し、内部に空間を形成することで、当該空間内の空気層により音及び振動の伝達を低減ないしは遮断して、遮音性を向上することを課題とする。【解決手段】ホールプラグ２００は、パネル２１０に設けられた開口２１１の一方側周縁（例えば上側周縁）に当接する環状の第１フランジ部２２０と、第１フランジ部と共に開口を閉塞する第１蓋部２３０と、開口の他方側周縁（例えば下側周縁）に係合し、第１フランジ部または第１蓋部との間で所定の空間２５０を備えて開口を閉塞する閉塞部２４０と備える。【選択図】図２２
2018138794.tif 000002
【特許請求の範囲】
【請求項１】
パネルに設けられた開口の一方側周縁に当接する環状の第１フランジ部と、
前記第１フランジ部と共に前記開口を閉塞する第１蓋部と、
前記開口の他方側周縁に係合し、前記第１フランジ部または前記第１蓋部との間で所定の空間を備えて前記開口を閉塞する閉塞部とを備えていることを特徴とするホールプラグ。
【請求項２】
前記閉塞部は、
前記開口の他方側周縁に当接する環状の第２フランジ部と、
前記第２フランジと協働して前記開口を閉塞する第２蓋部からなる、
ことを特徴とする請求項１に記載のホールプラグ。
【請求項３】
前記第１フランジ部と前記第１蓋部を備えた部材と、
前記第２フランジ部と前記第２蓋部を備えた部材は、
それぞれ別々の第１部材と第２部材で構成され、
前記両部材は、離れる方向に互いに係合可能な掛け止め部と被掛け止め部を備えた、
ことを特徴とする請求項２に記載のホールプラグ。
【請求項４】
前記掛け止め部と前記被掛け止め部は、
前記第１フランジ部または前記第１蓋部、あるいは前記第２フランジ部または前記第２蓋部から、他方のフランジ部または蓋部に向かって延設された脚部に設けられ、少なくともいずれか一方が前記第１フランジ部と前記第２フランジ部のいずれかと協働してパネルを挟持する、
ことを特徴とする請求項３に記載のホールプラグ。
【請求項５】
前記第１部材または前記第２部材の前記フランジ部、あるいは前記第１部材または前記第２部材の前記蓋部からは、他方のフランジ部または蓋部に向かって延設された脚部が設けられ、
少なくともいずれか一方の前記脚部には、前記第１フランジ部と前記第２フランジ部のいずれかと協働して前記パネルを挟持する環状フランジ部を備えた、
ことを特徴とする請求項３または請求項４に記載のホールプラグ。
【請求項６】
前記第１フランジ部と、前記第２フランジ部のいずれか一方は、
他方のフランジ部より小径である、
ことを特徴とする請求項３〜請求項５のいずれか１項に記載のホールプラグ。
【請求項７】
前記被掛け止め部は、
前記第１部材または前記第２部材のいずれか一方の脚部に設けられた開口であり、
前記掛け止め部は、
他方の脚部に設けられ、
前記脚部により囲まれた内部に位置する前記空間を通過する構成である、
ことを特徴とする請求項３〜請求項６のいずれか１項に記載のホールプラグ。
【請求項８】
前記第１蓋部と前記第２蓋部の少なくともいずれか一方は、
発泡性を有する構成を含む、
ことを特徴とする請求項２〜請求項７のいずれか１項に記載のホールプラグ。
【発明の詳細な説明】
【技術分野】
【０００１】
この発明は、車体等のパネルの開口を塞ぐホールプラグに関し、内部に空間を形成することで、当該空間内の空気層により音及び振動の伝達を低減ないしは遮断して、遮音性を向上することができるようにしたものである。
【背景技術】
【０００２】
従来、板材の孔に取り付けられる止水用のホールプラグであって、当該ホールプラグには第１フランジと第２フランジとを備え、板材を両面からシール可能なものが知られている（特許文献１の段落番号「００２５」及び「００２９」〜「００３３」、並びに図４及び図１０参照）。
また、従来、車体パネルの段差状の穴部に設けられる副防音材であって、当該副防音材には、高密度部と低密度部とを備えた車両用防音構造が知られている（特許文献２の段落番号「００１８」及び「００２１」、並びに図２参照）。
【先行技術文献】
【特許文献】
【０００３】
【特許文献１】特開2013-221547号公報
【特許文献２】特許第4899836号公報
【発明の概要】
【発明が解決しようとする課題】
【０００４】
しかし、上記した特許文献１に記載の従来のホールプラグは、シール性を課題として、遮音性については触れられていない。
また、上記した特許文献２に記載の従来の車両用防音構造の副防音材では、防音性を課題としているが、そもそも穴を塞ぐ構造を有していない。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、内部に空間を形成することで、当該空間内の空気層により音及び振動の伝達を低減ないしは遮断して、遮音性を向上することができるようにしたものである。
【０００６】
（請求項２）
請求項２に記載の発明は、上記した請求項１に記載の発明の目的に加え、次の点を目的とする。
すなわち、請求項２に記載の発明は、空間が第１蓋部と第２蓋部との間に位置することから密閉した空気層とでき、当該密閉した空気層により、遮音性を向上することができるばかりでなく、環状の第２フランジ部により、遮音性を一層、向上することができるようにしたものである。
【０００７】
（請求項３）
請求項３に記載の発明は、上記した請求項２に記載の発明の目的に加え、次の点を目的とする。
すなわち、請求項３に記載の発明は、第１部材と第２部材とに分離することで、両部材の間における音及び振動の伝達を低減ないしは遮断して、遮音性を向上することができるばかりでなく、製造を簡便にでき、しかも両部材を係合状態できることから、納品時等の取り扱いを容易にすることができるようにしたものである。
【０００８】
（請求項４）
請求項４に記載の発明は、上記した請求項３に記載の発明の目的に加え、次の点を目的とする。
すなわち、請求項４に記載の発明は、パネルを挟持させることで、フランジ部のパネルへの密着性を向上し、遮音性を一層、向上することができるようにしたものである。
【０００９】
（請求項５）
請求項５に記載の発明は、上記した請求項３または請求項４に記載の発明の目的に加え、次の点を目的とする。
すなわち、請求項５に記載の発明は、第１フランジ部と第２フランジ部のいずれかと協働してパネルを挟持する環状フランジ部を形成することで、遮音性を一層、向上することができるようにしたものである。
【００１０】
（請求項６）
請求項６に記載の発明は、上記した請求項３〜５のいずれか１項に記載の発明の目的に加え、次の点を目的とする。
すなわち、請求項６に記載の発明は、第１フランジ部と、第２フランジ部のいずれか一方を、他方のフランジ部より小径とすることで、パネルへの取付性を向上することができるようにしたものである。
【００１１】
（請求項７）
請求項７に記載の発明は、上記した請求項３〜６のいずれか１項に記載の発明の目的に加え、次の点を目的とする。
すなわち、請求項７に記載の発明は、掛け止め部を、他方の脚部により囲まれた内部に位置する空間を通過する構成とすることで、径方向のスペースを減少でき、両部材を離脱し難く係合することができるようにしたものである。
【００１２】
（請求項８）
請求項８に記載の発明は、上記した請求項２〜７のいずれか１項に記載の発明の目的に加え、次の点を目的とする。
すなわち、請求項８に記載の発明は、第１蓋部と第２蓋部の少なくともいずれか一方を、発泡性を有する構成とすることで、遮音性を一層、向上することができるようにしたものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１４】
（請求項１）
請求項１に記載の発明は、次の点を特徴とする。
すなわち、ホールプラグ(200)は、例えば図２１及び図２２に示すように、次の構成を備える。
（１）第１フランジ部(220)
第１フランジ部(220)は、例えば図２１及び図２２に示すように、パネル(210)に設けられた開口(211)の一方側周縁（例えば上側周縁）に当接する環状のものである。
（２）第１蓋部(230)
第１蓋部(230)は、例えば図２１及び図２２に示すように、第１フランジ部(220)と共に開口(211)を閉塞するものである。
【００１５】
（３）閉塞部(240)
閉塞部(240)は、例えば図２１及び図２２に示すように、開口(211)の他方側周縁（例えば下側周縁）に係合し、第１フランジ部(220)または第１蓋部(230)との間で所定の空間(250)を備えて開口(211)を閉塞するものである。
ここで、閉塞部(240)は、例えば図２１及び図２２に示すように、第１蓋部(230)から延設された脚部(260)と、脚部(260)から突出し、開口(211)の他方側周縁（例えば下側周縁）に係合する爪部(270)が相当する。
【００１６】
（請求項２）
請求項２に記載の発明は、上記した請求項１に記載の発明の特徴点に加え、次の点を特徴とする。
すなわち、閉塞部(340)は、例えば図２３及び図２４に示すように、次の構成からなる。
（１）第２フランジ部(360)
第２フランジ部(360)は、例えば図２３及び図２４に示すように、開口(311)の他方側周縁（例えば下側周縁）に当接する環状のものである。
【００１７】
（２）第２蓋部(370)
第２蓋部(370)は、第２フランジ(360)と協働して開口(311)を閉塞するものである。
なお、「ホールプラグ」には、例えば図２３及び図２４に示すように、符号「300」が相当する。請求項１に記載の「パネル」には、符号「310」が、「第１フランジ部」には符号「320」が、「第１蓋部」には符号「330」が、「空間」には符号「350」がそれぞれ相当する。
【００１８】
（請求項３）
請求項３に記載の発明は、上記した請求項２に記載の発明の特徴点に加え、次の点を特徴とする。
すなわち、ホールプラグ(10)は、例えば図１〜図１９に示すように、次の構成から構成されている。
（１）第１部材(30)
第１部材(30)は、例えば図１〜図４に示すように、第１フランジ部(50)と第１蓋部(60)を備えた部材である。
（２）第２部材(40)
第２部材(40)は、例えば図１〜図４に示すように、第２フランジ部(100)と第２蓋部(110)を備えた部材である。
【００１９】
両部材(30,40)は、例えば図２、図３及び図１９に示すように、離れる方向に互いに係合可能な掛け止め部（例えば第２部材40のロック爪122）と被掛け止め部（例えば第１部材30のロック穴82）を備えている。
なお、「ホールプラグ」には、例えば図１〜図４に示すように、符号「300」が相当する。請求項１に記載の「パネル」には、符号「20」が、「開口」には符号「21」が、「空間」には第１部材(30)の「第１空間90」と、第２部材(40)の「第２空間130」とのいずれか少なくとも一方がそれぞれ相当する。請求項１または請求項２に記載の「閉塞部」には、第２フランジ部(100)及び第２蓋部(110)が相当する。
【００２０】
（請求項４）
請求項４に記載の発明は、上記した請求項３に記載の発明の特徴点に加え、次の点を特徴とする。
第１に、掛け止め部（例えば第２部材40のロック爪122）と被掛け止め部（例えば第１部材30のロック穴82）は、例えば図１〜図１９のうち、図１〜図４に示すように、第１フランジ部(50)または第１蓋部(60)、あるいは第２フランジ部(100)または第２蓋部(110)から、他方のフランジ部または蓋部に向かって延設された脚部（例えば第１部材30の第１側部80、第２部材40の第２側部120）に設けられている。
【００２１】
第２に、少なくともいずれか一方が、第１フランジ部(50)と第２フランジ部(100)のいずれかと協働してパネルを挟持する。
ここで、「少なくともいずれか一方」は、掛け止め部（例えば第２部材40のロック爪122）と、被掛け止め部（例えば第１部材30のロック穴82）のいずれか一方が相当する。
なお、脚部には、第１部材(30)の第１側部(80)と、第２部材(40)の第２側部(120)とが相当し、これは円筒形に形成されているが、板状に形成してもよい。
【００２２】
（請求項５）
請求項５に記載の発明は、上記した請求項３または請求項４に記載の発明の特徴点に加え、次の点を特徴とする。
すなわち、
第１に、第１部材(30)または第２部材(40)のフランジ部（例えば第１部材30の第１フランジ部50、または第２部材40の第２フランジ部100）、あるいは第１部材(30)または第２部材(40)の蓋部（例えば第１部材30の第１蓋部60、または第２部材40の第２蓋部110）からは、例えば図１〜図１９のうち、図１〜図４に示すように、他方のフランジ部または蓋部に向かって延設された脚部（例えば第１部材30の第１側部80、第２部材40の第２側部120）が設けられている。
【００２３】
なお、脚部には、第１部材(30)の第１側部(80)と、第２部材(40)の第２側部(120)とが相当し、これは円筒形に形成されているが、板状に形成してもよい。
第２に、少なくともいずれか一方の脚部（例えば第１部材30の第１側部80、第２部材40の第２側部120）には、第１フランジ部(50)と第２フランジ部(100)のいずれかと協働してパネル(20)を挟持する環状フランジ部(70)を備えた。
なお、環状フランジ部(70)には、放射状に切欠部71を設け、間欠的に形成したが、切欠部71を省き、例えば円形に連続的に形成してもよい。なお、環状フランジ部(70)を連続的に形成することで、遮音性を向上することができる利点がある。
【００２４】
（請求項６）
請求項６に記載の発明は、上記した請求項３〜５のいずれか１項に記載の発明の特徴点に加え、次の点を特徴とする。
すなわち、第１フランジ部(50)と、第２フランジ部(100)のいずれか一方は、例えば図１〜図１９のうち、図１〜図４に示すように、他方のフランジ部より小径である。
【００２５】
（請求項７）
請求項７に記載の発明は、上記した請求項３〜６のいずれか１項に記載の発明の特徴点に加え、次の点を特徴とする。
第１に、被掛け止め部（例えばロック穴82）は、例えば図１〜図１９のうち、図１〜図３に示すように、第１部材(30)または前記第２部材(40)のいずれか一方の脚部（例えば第１部材30の第１側部80）に設けられた開口である。
第２に、掛け止め部（例えばロック爪122）は、他方の脚部（例えば第２部材40の第２側部120）に設けられ、脚部（例えば第２部材40の第２側部120）により囲まれた内部に位置する空間（例えば第２空間130）を通過する構成である。
【００２６】
（請求項８）
請求項８に記載の発明は、上記した請求項２〜７のいずれか１項に記載の発明の特徴点に加え、次の点を特徴とする。
すなわち、第１蓋部(60)と第２蓋部(110)の少なくともいずれか一方は、発泡性を有する構成を含む。
【発明の効果】
【００２７】
本発明は、以上のように構成されているので、以下に記載されるような効果を奏する。
（請求項１）
請求項１に記載の発明によれば、次のような効果を奏する。
すなわち、請求項１に記載の発明によれば、内部に空間を形成することで、当該空間内の空気層により音及び振動の伝達を低減ないしは遮断して、遮音性を向上することができる。
【００２８】
（請求項２）
請求項２に記載の発明によれば、上記した請求項１に記載の発明の効果に加え、次のような効果を奏する。
すなわち、請求項２に記載の発明によれば、空間が第１蓋部と第２蓋部との間に位置することから密閉した空気層とでき、当該密閉した空気層により、遮音性を一層、向上することができるばかりでなく、環状の第２フランジ部により、遮音性を一層、向上することができる。
【００２９】
（請求項３）
請求項３に記載の発明によれば、上記した請求項２に記載の発明の効果に加え、次のような効果を奏する。
すなわち、請求項３に記載の発明によれば、第１部材と第２部材とに分離することで、両部材の間における音及び振動の伝達を低減ないしは遮断して、遮音性を向上することができるばかりでなく、製造を簡便にでき、しかも両部材を係合状態できることから、納品時等の取り扱いを容易にすることができる。
【００３０】
（請求項４）
請求項４に記載の発明によれば、上記した請求項３に記載の発明の効果に加え、次のような効果を奏する。
すなわち、請求項４に記載の発明によれば、パネルを挟持させることで、フランジ部のパネルへの密着性を向上し、遮音性を一層、向上することができる。
【００３１】
（請求項５）
請求項５に記載の発明によれば、上記した請求項３または請求項４に記載の発明の効果に加え、次のような効果を奏する。
すなわち、請求項５に記載の発明によれば、第１フランジ部と第２フランジ部のいずれかと協働してパネルを挟持する環状フランジ部を形成することで、遮音性を一層、向上することができる。
【００３２】
（請求項６）
請求項６に記載の発明によれば、上記した請求項３〜５のいずれか１項に記載の発明の効果に加え、次のような効果を奏する。
すなわち、請求項６に記載の発明によれば、第１フランジ部と、第２フランジ部のいずれか一方を、他方のフランジ部より小径とすることで、パネルへの取付性を向上することができる。
【００３３】
（請求項７）
請求項７に記載の発明によれば、上記した請求項３〜６のいずれか１項に記載の発明の効果に加え、次のような効果を奏する。
すなわち、請求項７に記載の発明によれば、掛け止め部を、他方の脚部により囲まれた内部に位置する空間を通過する構成とすることで、径方向のスペースを減少でき、両部材を離脱し難く係合することができる。
【００３４】
（請求項８）
請求項８に記載の発明によれば、上記した請求項２〜７のいずれか１項に記載の発明の効果に加え、次のような効果を奏する。
すなわち、請求項８に記載の発明によれば、第１蓋部と第２蓋部の少なくともいずれか一方を、発泡性を有する構成とすることで、遮音性を一層、向上することができる。
【図面の簡単な説明】
【００３５】
【図１】本発明の第１の実施の形態であって、図１７のＤＤ線に沿うホールプラグの断面図である。
【図２】本発明の第１の実施の形態であって、第１部材と第２部材との分解斜視図である。
【図３】本発明の第１の実施の形態であって、図２に対応し、下側から見た分解斜視図である。
【図４】本発明の第１の実施の形態であって、図２に対応し、第１部材と第２部材との正面図である。
【図５】本発明の第１の実施の形態であって、第１部材の平面図である。
【図６】本発明の第１の実施の形態であって、図５に対応し、第１部材の左側面図である。
【図７】本発明の第１の実施の形態であって、図５に対応し、第１部材の右側面図である。
【図８】本発明の第１の実施の形態であって、図５に対応し、第１部材の底面図である。
【図９】本発明の第１の実施の形態であって、図５のＡＡ線に沿う断面図である。
【図１０】本発明の第１の実施の形態であって、第２部材の平面図である。
【図１１】本発明の第１の実施の形態であって、図１０に対応し、第２部材の左側面図である。
【図１２】本発明の第１の実施の形態であって、図１０に対応し、第２部材の底面図である。
【図１３】本発明の第１の実施の形態であって、図１０のＢＢ線に沿う断面図である。
【図１４】本発明の第１の実施の形態であって、第１部材と第２部材とを組み付けた状態の斜視図である。
【図１５】本発明の第１の実施の形態であって、図１４に対応し、下側から見た斜視図である。
【図１６】本発明の第１の実施の形態であって、図１４に対応し、第１部材と第２部材とを組み付けた状態の正面図である。
【図１７】本発明の第１の実施の形態であって、図１４に対応し、第１部材と第２部材とを組み付けた状態の平面図である。
【図１８】本発明の第１の実施の形態であって、図１４に対応し、第１部材と第２部材とを組み付けた状態の底面図である。
【図１９】本発明の第１の実施の形態であって、図１７のＣＣ線に沿うホールプラグの断面図である。
【図２０】本発明の第１の実施の形態であって、図１９の一部拡大断面図である。
【図２１】本発明の第２の実施の形態であって、ホールプラグ及びパネルの断面図である。
【図２２】本発明の第２の実施の形態であって、図２１に対応し、ホールプラグをパネルに取り付けた状態の断面図である。
【図２３】本発明の第３の実施の形態であって、ホールプラグ及びパネルの断面図である。
【図２４】本発明の第２の実施の形態であって、図２３に対応し、ホールプラグをパネルに取り付けた状態の断面図である。
【発明を実施するための形態】
【００３６】
（ホールプラグ10）
図１〜図１９を用いて、本発明の第１の実施の形態について説明する。
図１〜図４中、10は、本実施の形態に係るホールプラグであって、車体等のパネル20の開口21に装着され、当該開口21を塞ぐものであり、シール性及び遮音性を有する。
開口21は、図１に示すように、パネル20の表裏面、図面上は上下に貫通し、円形に形成されている。
なお、パネル20として、車両を例示したが、これに限定されず、自動車以外の例えば列車や電車、航空機、船舶であってもよいし、あるいは建物の床や壁、家具や電化製品であってもよい。
【００３７】
ホールプラグ10は、図２〜４に示すように、大別すると、次のパーツから構成されている。
なお、次の（１）及び（２）については後述する。
（１）第１部材30
（２）第２部材40
なお、ホールプラグ10のパーツは、上記した（１）及び（２）に限定されず、例えば図２１〜図２４を用いて後述するが、一部材から構成してもよいし、あるいは図示しないが三部材以上から構成してもよい。
【００３８】
（第１部材30）
第１部材30は、図１〜図９に示すように、後述する第２部材40と組み付けられ、当該第２部材40と協働してパネル20の開口21を塞ぐものである。
第１部材30は、適度な弾性と剛性とを有する、例えばオレフィン系エラストマー（TPO）等の熱可塑性合成樹により一体的に成形されている。なお、樹脂として、オレフィン系エラストマーを例示したが、これに限定されない。例えば、第１部材30の一部、後述する第１蓋部60、または全体を、発泡性を有する構成としてもよい。
【００３９】
第１部材30は、大別すると、次の各部を備える。
なお、次の（１）〜（５）については後述する。
（１）第１フランジ部50
（２）第１蓋部60
（３）環状フランジ70
（４）第１側部80（第１脚部）
（５）第１空間90
なお、第１部材30の各部は、上記した（１）〜（５）に限定されず、遮音性は低下するが、第１蓋部60と環状フランジ70とのいずれか少なくとも一方を省略することも可能である。
【００４０】
（第２部材40）
第２部材40は、図１〜図４及び図１０〜図１３に示すように、第１部材30と組み付けられ、当該第１部材30と協働してパネル20の開口21を塞ぐものである。
第２部材40は、第１部材30と同様に、適度な弾性と剛性とを有する、例えばオレフィン系エラストマー（TPO）等の熱可塑性合成樹により一体的に成形されている。なお、樹脂として、オレフィン系エラストマーを例示したが、これに限定されない。例えば、第２部材40の一部、後述する第２蓋部110、または全体を、発泡性を有する構成としてもよい。
【００４１】
第２部材40は、大別すると、次の各部を備える。
なお、次の（１）〜（４）については後述する。
（１）第２フランジ部100
（２）第２蓋部110
（３）第２側部120（第２脚部）
（４）第２空間130
なお、第２部材40の各部は、上記した（１）〜（４）に限定されず、遮音性は低下するが、第２蓋部110を省略することも可能である。
【００４２】
（第１フランジ部50）
第１フランジ部50は、図１〜図９に示すように、パネル20に設けられた開口21の一方側周縁、すなわち図１において下側周縁に当接する環状のものである。
第１フランジ部50は、図９に示すように、下方から斜め上方に向かって開いた傘型に形成され、その上端部である自由端部の直径を、パネル20の開口21の内径より大きく設定している。
また、第１フランジ部50は、下方から上端部である自由端部に向かって肉厚を徐々に減少させ、たわみ易くしている。
【００４３】
（第１蓋部60）
第１蓋部60は、図１〜図９に示すように、第１フランジ部5と共にパネル20の開口21を閉塞するものである。
第１蓋部60は、図２及び図３に示すように、円盤状に形成され、図１及び図９に示すように、側方から見たときに、下方に向かって細くなった円錐台形に形成され、その細くなった下端部の外径を、パネル20の開口21の内径より小さく設定している。
【００４４】
第１蓋部60は、図１及び図９に示すように、次の各部を備える。
なお、第１蓋部60の各部は、次の（１）及び（２）に限定されず、例えばいずれか一方あるいは両方を省略してもよい。
（１）厚肉部61
厚肉部61は、図１及び図９に示すように、第１蓋部60の上下の肉厚を厚くして形成している。厚肉部61は、遮音性を向上させるためのものであり、発泡性を有する構成としてもよい。
【００４５】
（２）リブ62
リブ62は、図１、図２、図５及び図９に示すように、第１蓋部60の内面、すなわち上面から上方に延び、図５に示すように、半径方向において外向きに放射状に延びている。
リブ62は、パネル20の開口21に対する第１部材30の挿入力を下げる目的で設けている。すなわち、リブ62は、無い場合と比較し、パネル20の開口21への挿入時に、第２部材40が、半径方向において外向きにつぶれて押し広がり、パネル20への挿入力が高くなるのを防止するためである。
【００４６】
（環状フランジ70）
環状フランジ70は、図１〜図９に示すように、第１フランジ部50とパネル20の厚み方向、すなわち図１及び図９においては上方に離れて対向し、パネル20に設けられた開口21の他方側周縁、すなわち図１において上側周縁に当接する環状のものである。
環状フランジ70は、図９に示すように、上方から斜め下方に向かって開いた傘型に形成され、その下端部である自由端部の直径を、パネル20の開口21の内径より大きく設定している。
また、環状フランジ70は、第１フランジ部50と比較すると、その外径を大きく設定している。
さらに、環状フランジ70は、上方から下端部である自由端部に向かって肉厚を徐々に減少させ、たわみ易くしている。
【００４７】
環状フランジ70には、図２〜図５、図７及び図８に示すように、次の各部を備える。
なお、環状フランジ70の各部は、次の（１）に限定されず、「（１）切欠部71」を省略し、例えば円形に連続的に形成してもよい。なお、環状フランジ部70を連続的に形成することで、遮音性を向上することができる利点がある。
（１）切欠部71
切欠部71は、図２〜図５、図７及び図８に示すように、環状フランジ70を半径方向に切り割るものであり、複数個、例えば１２０度間隔で３個形成されている。なお、切欠部71の個数として、３個を例示したが、これに限定されず、例えば９０度間隔で４個形成したたり、あるいは等間隔で５個以上形成してもよい。
【００４８】
（第１側部80）
第１側部80は、図１〜図９に示すように、第１フランジ部50、第１蓋部60及び環状フランジ70を相互に連結するものであり、円筒形に形成されている。
第１側部80は、図９に示すように、第１蓋部60の上縁部から折り返し状に下方に向かって延び、更に上方に向かって折り返し状に延び、環状フランジ70に連続している。また、第１側部80の高さの途中には、第１フランジ部50が連続している。
【００４９】
第１側部80は、第２部材40との関係において、第１蓋部60から第２部材40の後述する第２蓋部110に向かって延設され、「第１脚部」として機能する。
なお、第１側部80を、第１蓋部60から延設させたが、「第１脚部」としては、これに限定されず、例えば第１フランジ部50から延設したり、あるいは第２部材40の後述する第２フランジ部100に向かって延設させてもよい。
また、第１側部80は、円筒形に形成したが、「第１脚部」としては、これに限定されず、板状に形成してもよい。
第１側部80は、その外径をパネル20の開口21の内径にほぼ一致させている。
【００５０】
第１側部80には、図２、図５及び図９に示すように、次の各部を備える。
なお、第１側部80の各部は、次の（１）及び（２）に限定されず、第１部材30と第２部材40との組付性は低下するが、例えば（１）を省略することも可能である。
（１）ガイド溝81
ガイド溝81は、図２、図５及び図９に示すように、第１側部80の内周面に形成され、第２部材40と組み付ける際に、その後述する凸状のガイド突起121を案内するためのものである。
【００５１】
ガイド溝81は、第１側部80の内周面に凹状に形成され、上端部が開放し、下端部が行き止まりに形成されている。
なお、第１部材30側に、凹状のガイド溝81を形成し、第２部材40側に凸状のガイド突起121を形成したが、これに限定されず、図示しないが、第１部材30側に凸状のガイド突起を形成し、第２部材40側に凹状のガイド溝を形成してもよい。
ガイド溝81は、複数個、例えば６０度間隔で計６個形成されている。
なお、ガイド溝81の個数として、６個を例示したが、これに限定されず、単数、２〜５個あるいは７個形成してもよい。
【００５２】
（２）ロック穴82（掛け止め部）
ロック穴82は、図２、図５及び図９に示すように、ガイド溝81の下部に位置し、第１側部80を内外に貫通する方形に形成されている。ロック穴82には、第２部材40の後述するロック爪122がはまり込み、第１部材30と第２部材40とが組み付け状態にロックされる。ロック穴82は、第１部材30と第２部材40とを連結させる「掛け止め部」として機能し、これに対し、ロック爪122は「被掛け止め部」と機能する。
なお、ロック穴82を、穴状に形成したが、図示しないが、例えば凹状に形成してもよい。
また、第１部材30側に、ロック穴82を形成し、第２部材40側にロック爪122を形成したが、これに限定されず、図示しないが、例えば第１部材30側にロック爪を形成し、第２部材40側にロック穴を形成してもよい。
【００５３】
（第１空間90）
第１空間90は、図２、図５及び図９に示すように、第１蓋部60及び第１側部80により囲まれた内側に位置し、上方に向かって開放する。第１空間90の内側には、リブ62が位置する。
【００５４】
（第２フランジ部100）
第２フランジ部100は、図１〜図４及び図１０〜図１３に示すように、パネル20に設けられた開口21の他方側周縁、すなわち図１において上側周縁に当接する環状のものである。
第２フランジ部100は、図１３に示すように、上方から斜め下方に向かって開いた傘型に形成され、その下端部である自由端部の直径を、パネル20の開口21の内径より大きく設定している。
また、第２フランジ部100は、上方から下端部である自由端部に向かって肉厚を徐々に減少させ、たわみ易くしている。
【００５５】
一方、第２フランジ部100は、図１及び図１９に示すように、第１部材30の第１フランジ部50と比較すると、その外径を大きく設定している。逆にいうと、第１フランジ部50の外径を、第２フランジ部100より小さく設定することで、パネル20の開口21への挿入性を向上している。
また、第２フランジ部100は、第１部材30の環状フランジ70と比較すると、その外径を大きく設定している。
【００５６】
さらに、第２フランジ部100は、図１及び図１９に示すように、第１部材30と第２部材40との組付状態、並びにパネル20への装着状態において、環状フランジ70と上下に離れて位置し、両者の間に第１隙間12が発生するようにしている。第１隙間12を発生させることで、第２フランジ部100と環状フランジ70とを互いに密着させた場合に比較、遮音性を向上できた。
このため、第２フランジ部100と環状フランジ70とは接していないことが望ましい。このように、第２フランジ部100と環状フランジ70とが接していない、すなわち離れていることで、第２部材40の振動が第１部材30に伝わらなく、叉、逆も同様に、第１部材30の振動が第２部材40に伝わらない効果がある。
【００５７】
（第２蓋部110）
第２蓋部110は、図１〜図３、図１０、図１２及び図１３に示すように、第２フランジ部100と共にパネル20の開口21を閉塞するものである。
第２蓋部110は、図２及び図３に示すように、円盤状に形成され、図１及び図１３に示すように、側方から見たときに、上方に向かって細くなった円錐台形に形成されている。
第２フランジ部100及び第２蓋部110は、第１部材30に対しては、「閉塞部」を構成する。
【００５８】
第２蓋部110は、図１及び図１３に示すように、次の各部を備える。
なお、第１蓋部60の各部は、次の（１）に限定されず、遮音性は低下するが、例えば（１）を省略してもよい。
（１）厚肉部111
厚肉部111は、図１及び図１３に示すように、第１蓋部60の上下の肉厚を厚くして形成している。厚肉部111は、遮音性を向上させるためのものであり、発泡性を有する構成としてもよい。
【００５９】
（第２側部120）
第２側部120は、図１〜図４及び図１０〜図１３に示すように、第２フランジ部100及び第２蓋部110を相互に連結するものであり、円筒形に形成されている。
第２側部120は、図１３に示すように、第２蓋部110の下縁部から折り返し状に上方に向かって延び、第２フランジ部100に連続している。
【００６０】
第２側部120は、第１部材30との関係において、第２蓋部110から第１部材30の第１蓋部60に向かって延設され、「第２脚部」として機能する。
なお、第２側部120を、第２蓋部110から延設させたが、「第２脚部」としては、これに限定されず、例えば第２フランジ部100から延設したり、あるいは第１部材30の第１フランジ部50に向かって延設させてもよい。
また、第２側部120は、円筒形に形成したが、「第２脚部」としては、これに限定されず、板状に形成してもよい。
第２側部120は、その外径を第１側部80の内径にほぼ一致させている。
【００６１】
第２側部120には、図３及び図１１〜図１３に示すように、次の各部を備える。
なお、第２側部120の各部は、次の（１）及び（２）に限定されず、第１部材30と第２部材40との組付性は低下するが、例えば（１）を省略することも可能である。
（１）ガイド突起121
ガイド突起121は、図３及び図１１〜図１３に示すように、第２側部120の外周に上下に長い凸状に形成され、第１部材30のガイド溝81にはまり込むものである。
また、ガイド突起121は、第１部材30と第２部材40との組付状態（図１及び図１９）において、第１部材30のガイド溝81に接していないことが望ましい。すなわち、ガイド突起121とガイド溝81同士が接していない、すなわち離れていることで、第２部材40の振動が第１部材30に伝わらなく、叉、逆も同様に、第１部材30の振動が第２部材40に伝わらない効果がある。
【００６２】
（２）ロック爪122（被掛け止め部）
ロック爪122は、ガイド突起121の下端部に爪状に形成され、第１部材30のガイド溝81内に位置し、その「掛け止め部」として機能するロック穴82にはまり込むものであり、「被掛け止め部」として機能する。
また、ロック爪122は、図１９に示すように、ロック穴82を通して外向き、すなわちパネル20側に突出する。ロック爪122は、第１部材30と第２部材40との組付状態において、パネル20の開口21に合わせて装着した際に、パネル20の裏側に嵌合する。このとき、第１部材30の第１フランジ部50もパネル20の裏側に係合するために、ロック爪122と第１フランジ部50との間には第２隙間13が発生する。
このように、第２フランジ部100と環状フランジ70とが接していない、すなわち離れていることで、第２部材40の振動が第１部材30に伝わらなく、叉、逆も同様に、第１部材30の振動が第２部材40に伝わらない効果があり、第２隙間13により遮音性を向上できる。
【００６３】
（第２空間130）
第２空間130は、図３、図１２及び図１３に示すように、第２蓋部110及び第２側部120により囲まれた内側に位置し、下方に向かって開放する。
第２空間130は、第１空間90と上下に対向し、両者の間には、図１及び図１９に示すように、密閉された空気層11が形成される。空気層11は、遮音性を向上させるためのものである。なお、空気層11を設けることで、特に人が聞きやすい周波数帯、例えば2,500〜5,500Hzにおける遮音性を、空気層11の無いものと比較し、大幅に向上できた。
【００６４】
（第１部材30と第２部材40との組み付け）
つぎに、上記した構成を有する第１部材30と第２部材40とは、図１及び図１４〜図１９に示すように、出荷時に、互いに組み付け、組付状態で出荷することで、納品時等の取り扱いを容易にすることができる。
なお、第１部材30と第２部材40とを、出荷時に組み付けたが、これに限定されず、納品時等の取扱性は低下するが、出荷後に組み付けるようにしてもよい。
【００６５】
組み付ける際には、第２部材40のガイド突起121を、第１部材30のガイド溝81の開放面に合わせてはめ込む。さらにガイド突起121に押し込むと、そのロック爪122に押され、ガイド溝81が撓みながら、ロック穴82にパチンとはまり込む。これにより、第１部材30と第２部材40とは、組付状態にロックされる。
組付状態においては、図１及び図１９に示すように、第１部材30と第２部材40との間に、密閉された空気層11が形成される。
【００６６】
（パネル20への装着）
組付状態にロックされたホールプラグ10を、図１に示すように、その第１部材30側からパネル20の開口21に合わせて挿入する。
第１部材30側から挿入すると、その第１フランジ部50が開口21の内縁部に押されて、縮径し、当該開口21を通過後、樹脂の弾性により復元し、パネル20の開口21の一方側周縁、例えば下側周縁に弾性的に当接する。また、同時に、第２部材40の第２フランジ部100が、第１部材30の環状フランジ70を介して、パネル20の開口21の他方側周縁、例えば上側周縁に弾性的に当接する。
【００６７】
パネル20の開口21は、下側からは第１部材30の第１蓋部60及び第１フランジ部50により主として塞がれ、叉、上側から第２部材40の第２蓋部110及び第２フランジ部100により主として塞がれる。その結果、ホールプラグ10により、パネル20の開口21を上下方向より塞ぐことができる。
また、第１部材30の第１フランジ部50が、パネル20の開口21の下側周縁に弾性的に当接し、第２部材40の第２フランジ部100が、第１部材30の環状フランジ70を介して、パネル20の開口21の上側周縁に弾性的に当接することで、パネル20がホールプラグ10により上下方向から挟持され、ホールプラグ10がパネル20の開口21に保持される。
【００６８】
さらに、第１部材30の第１フランジ部50が、パネル20の開口21の下側周縁に弾性的に当接し、第２部材40の第２フランジ部100が、第１部材30の環状フランジ70を介して、パネル20の開口21の上側周縁に弾性的に当接することで、シール効果あるいは止水効果を発揮する。
また、シール効果により、パネル20の開口21を通した音及び振動の伝達を低減ないしは遮断できる。
【００６９】
さらに、第１部材30と第２部材40との間に形成された密閉された空気層11により、ホールプラグ10に伝達された音及び振動を低減ないしは遮断できる。
また、第１部材30の第１蓋部60に厚肉部61を形成し、第２部材40の第２蓋部110に厚肉部111を形成していることから、ホールプラグ10に伝達された音及び振動を低減ないしは遮断できる。
さらに、第２フランジ部100は、環状フランジ70と上下に離れて位置し、両者の間に第１隙間12が発生する。第１隙間12が発生することで、第２フランジ部100と環状フランジ70とを互いに密着させた場合に比較、遮音性を向上できた。
一方、第１部材30の一部、例えば第１蓋部60、または全体を、発泡性を有する構成とし、第２部材40の一部、例えば第２蓋部110、または全体を、発泡性を有する構成とすることで、ホールプラグ10に伝達された音及び振動を低減ないしは遮断できる。
【００７０】
（図２１及び図２２を用いた第２の実施の形態の説明）
図２１及び図２２を用いて、本発明の第２の実施の形態について説明する。
本実施の形態の特徴は、ホールプラグ200を一部材から構成した点である。
本実施の形態によれば、ホールプラグ200を一部材とすることで、構造及び製造を簡便にすることができる利点がある。
ホールプラグ200は、適度な弾性と剛性とを有する、例えばオレフィン系エラストマー（TPO）等の熱可塑性合成樹により一体的に成形されている。なお、樹脂として、オレフィン系エラストマーを例示したが、これに限定されない。例えば、ホールプラグ200の一部、後述する第１蓋部230、または全体を、発泡性を有する構成としてもよい。
【００７１】
ホールプラグ200は、図２１及び図２２に示すように、大別すると、次の各部を備える。
（１）第１フランジ部220
第１フランジ部220は、図２１及び図２２に示すように、パネル210に設けられた開口(211)の一方側周縁、例えば上側周縁に当接する環状のものである。
（２）第１蓋部230
第１蓋部230は、図２１及び図２２に示すように、第１フランジ部220と共に開口211を閉塞するものである。
第１蓋部230には、その上下の肉厚を厚くし、厚肉部231を形成している。厚肉部231は、遮音性を向上させるためのものであり、発泡性を有する構成としてもよい。
【００７２】
（３）閉塞部240
閉塞部240は、図２１及び図２２に示すように、開口211の他方側周縁、例えば下側周縁に係合し、第１フランジ部220または第１蓋部230との間で所定の空間250を備えて開口211を閉塞するものである。
空間250により、当該空間250内に形成される空気層により、音及び振動の伝達を軽減ないしは遮断して、遮音性を向上することができる。
閉塞部240は、図２１及び図２２に示すように、第１蓋部230から延設された脚部260と、脚部260から突出し、開口211の他方側周縁、例えば下側周縁に係合する爪部270とから構成されている。
また、空間250の下方下面には、密閉部280が設けられている。密閉部280は、空間250を密閉することで、遮音性を向上させるためのものである。密閉部280は、別体として、後から組み付けるようにしたが、これに限定されず、一体的に成形するようにしてもよい。
【００７３】
（図２３及び図２４を用いた第３の実施の形態の説明）
図２３及び図２４を用いて、本発明の第３の実施の形態について説明する。
本実施の形態は、空間350を密閉した空気層とすることができるようにした点である。
本実施の形態によれば、密閉した空気層みより遮音性を一層、向上できる利点がある。
ホールプラグ300は、適度な弾性と剛性とを有する、例えばオレフィン系エラストマー（TPO）等の熱可塑性合成樹により一体的に成形されている。なお、樹脂として、オレフィン系エラストマーを例示したが、これに限定されない。例えば、ホールプラグ300の一部、後述する第１蓋部330及び第２蓋部370、または全体を、発泡性を有する構成としてもよい。
【００７４】
ホールプラグ300は、先に図２１及び図２２を用いて説明した第２の実施の形態に係るホールプラグ200と同様に、図２３及び図２４に示すように、大別すると、次の構成を備える。
（１）第１フランジ部320
第１フランジ部320は、図２３及び図２４に示すように、パネル310に設けられた開口311の一方側周縁、例えば上側周縁に当接する環状のものである。
（２）第１蓋部330
第１蓋部330は、図２３及び図２４に示すように、第１フランジ部320と共に開口311を閉塞するものである。
第１蓋部330には、その上下の肉厚を厚くし、厚肉部331を形成している。厚肉部331は、遮音性を向上させるためのものであり、発泡性を有する構成としてもよい。
【００７５】
（３）閉塞部340
閉塞部340は、図２３及び図２４に示すように、開口311の他方側周縁、例えば下側周縁に係合し、第１フランジ部320または第１蓋部330との間で所定の空間350を備えて開口311を閉塞するものである。
【００７６】
（閉塞部340）
閉塞部340は、図２３及び図２４に示すように、大別すると、次の各部を備える。
（１）第２フランジ部360
第２フランジ部360は、図２３及び図２４に示すように、開口311の他方側周縁、例えば下側周縁に当接する環状のものである。
（２）第２蓋部370
第２蓋部370は、第２フランジ360と協働して開口311を閉塞するものである。
第２蓋部370には、その上下の肉厚を厚くし、厚肉部371を形成している。厚肉部371は、遮音性を向上させるためのものであり、発泡性を有する構成としてもよい。
【符号の説明】
【００７７】
（第１の実施の形態）
10  ホールプラグ            11  空気層
12  第１隙間                12  第２隙間
20  パネル                  21  開口
30  第１部材                40  第２部材
50  第１フランジ部          60  第１蓋部
61  厚肉部                  62  リブ
70  環状フランジ            71  切欠部
80  第１側部（第１脚部）
81  ガイド溝                82  ロック穴（掛け止め部）
90  第１空間                100  第２フランジ部
110  第２蓋部                111  厚肉部
120  第２側部（第２脚部）
121  ガイド突起              122  ロック爪（被掛け止め部）
130  第２空間
（第２の実施の形態）
200  ホールプラグ
210  パネル                  211  開口
220  第１フランジ部
230  第１蓋部                231  厚肉部
240  閉塞部                  250  空間
260  脚部                    270  爪部
280  密閉部
（第３の実施の形態）
300  ホールプラグ
310  パネル                  311  開口
320  第１フランジ部
330  第１蓋部                331  厚肉部
340  閉塞部                  350  空間
360  第２フランジ部
370  第２蓋部                371  厚肉部
【図１】
2018138794.tif 000003
【図２】
2018138794.tif 000004
【図３】
2018138794.tif 000005
【図４】
2018138794.tif 000006
【図５】
2018138794.tif 000007
【図６】
2018138794.tif 000008
【図７】
2018138794.tif 000009
【図８】
2018138794.tif 000010
【図９】
2018138794.tif 000011
【図１０】
2018138794.tif 000012
【図１１】
2018138794.tif 000013
【図１２】
2018138794.tif 000014
【図１３】
2018138794.tif 000015
【図１４】
2018138794.tif 000016
【図１５】
2018138794.tif 000017
【図１６】
2018138794.tif 000018
【図１７】
2018138794.tif 000019
【図１８】
2018138794.tif 000020
【図１９】
2018138794.tif 000021
【図２０】
2018138794.tif 000022
【図２１】
2018138794.tif 000023
【図２２】
2018138794.tif 000024
【図２３】
2018138794.tif 000025
【図２４】
2018138794.tif 000026